(57)【要約】【課題】  写真を装飾品の写真貼り付け部の大きさに合わせて切り抜く際に、切り抜く前に仕上がり具合を確認できるようにする。【解決手段】  写真８の適宜位置に、周囲を囲むような形状で表裏を貫通する切り込みを同心状に設けて、同心状に複数の折曲片４を形成した型紙２を貼り付け、該型紙２の前記折曲片４を上に折り曲げて、写真画像との位置関係を確認しながら写真の切り抜き範囲を確定する。そのようにして確定した範囲を囲む前記切り込みと、サイズ，形状が一致する刃型を有する打ち抜き刃で前記写真の切り抜き範囲を切り抜いて、その写真を装飾品の所定位置に貼り付ける。【選択図】        図３
2008259684.tif 000002
【特許請求の範囲】
【請求項１】
写真の適宜位置に、周囲を囲むような形状で表裏を貫通する切り込みを同心状に設けて、同心状に複数の折曲片を形成した型紙を貼り付ける工程と、前記型紙の前記折曲片を上に折り曲げて、写真画像との位置関係を確認しながら写真の切り抜き範囲を確定する工程と、そのようにして確定した範囲を囲む前記折曲片の内縁と、サイズ，形状が一致する刃型を有する打ち抜き刃で前記写真の切り抜き範囲を切り抜く工程と、切り抜いた写真を装飾品に貼り付ける工程とを備えたことを特徴とする装飾品の製造方法。
【請求項２】
請求項１に記載の装飾品の製造方法に使用する型紙であって、周囲を囲むような形状で表裏を貫通する切り込みを同心状に設けて、同心状に複数の折曲片を形成したことを特徴とする型紙。
【請求項３】
裏面の一部分に両面接着テープを設けたことを特徴とする請求項２に記載の型紙。
【発明の詳細な説明】
【技術分野】
【０００１】
本発明は、キーホルダ，携帯ストラップ，ブローチ，メダル，ネクタイピン等の装飾品、特に、金属製あるいは樹脂製のプレートを有しており、そのプレートの表面に写真，絵柄等を貼り付けて構成する装飾品の製造方法、及び、それに用いる型紙に関するものである。
【背景技術】
【０００２】
近年、キーホルダ，携帯ストラップ，ブローチ，メダル，ネクタイピン等の装飾品として、自分好みのオリジナルなものとして、プレート部に自分の好きな写真や絵柄等を貼り付けるタイプのものがある。例えば、特許文献１には、台座に写真を貼り付け、その上から光硬化性樹脂を塗ったキーホルダが示されている。このようにすれば、自分好みのオリジナルな装飾品が得られる。
【０００３】
そのような装飾品に写真を貼り付けるには、カッターを使って、装飾品の写真貼り付け部の大きさに合わせて写真を切り抜いてから、切り抜いた写真を装飾品の写真貼り付け部に貼り付けることになる。
【特許文献１】登録実用新案第３０３９４７８号公報
【発明の開示】
【発明が解決しようとする課題】
【０００４】
しかしながら、上記従来の方法では、写真を装飾品の写真貼り付け部の大きさに合わせて切り抜く際に、写真のどの部分を、どのようなアングルで切り抜くかを決めるのに、切り抜く前に仕上がり具合を確認することができないため、切り抜いた後で仕上がり具合に不満が生じることがままあるという問題点があった。
【０００５】
本発明は、そのような問題点に鑑み、写真を装飾品の写真貼り付け部の大きさに合わせて切り抜く際に、切り抜く前に仕上がり具合を確認できるようにすることを目的とするものである。
【課題を解決するための手段】
【０００６】
前記課題を解決するため、本願の請求項１にかかる装飾品の製造方法の発明は、写真の適宜位置に、周囲を囲むような形状で表裏を貫通する切り込みを同心状に設けて、同心状に複数の折曲片を形成した型紙を貼り付ける工程と、前記型紙の前記折曲片を上に折り曲げて、写真画像との位置関係を確認しながら写真の切り抜き範囲を確定する工程と、そのようにして確定した範囲を囲む前記折曲片の内縁と、サイズ，形状が一致する刃型を有する打ち抜き刃で前記写真の切り抜き範囲を切り抜く工程と、切り抜いた写真を装飾品に貼り付ける工程とを備えたことを特徴とする。
【０００７】
また、本願の請求項２にかかる型紙の発明は、請求項１に記載の装飾品の製造方法に使用する型紙であって、周囲を囲むような形状で表裏を貫通する切り込みを同心状に複数設けたことを特徴とする。
【０００８】
また、本願の請求項３にかかる発明は、請求項２にかかる発明において、裏面の一部分に両面接着テープを設けたことを特徴とする。
【発明の効果】
【０００９】
本発明の装飾品の製造方法、及び、型紙は、次のような効果を奏する。
すなわち、請求項１にかかる装飾品の製造方法の発明においては、写真の適宜位置に、周囲を囲むような形状で表裏を貫通する切り込みを同心状に設けて、同心状に複数の折曲片を形成した型紙を貼り付け、前記型紙の前記折曲片を上に折り曲げて、写真画像との位置関係を確認しながら写真の切り抜き範囲を確定した後、確定した範囲を囲む前記折曲片の内縁と、サイズ，形状が一致する刃型を有する打ち抜き刃で前記写真の切り抜き範囲を切り抜くようにした。その結果、写真を装飾品の写真貼り付け部の大きさに合わせて切り抜く際に、切り抜く前に仕上がり具合を確認できる。
【００１０】
また、請求項２にかかる型紙の発明においては、請求項１に記載の装飾品の製造方法に使用する型紙について、周囲を囲むような形状で表裏を貫通する切り込みを同心状に複数設けたので、このような型紙を用いることにより、写真を装飾品の写真貼り付け部の大きさに合わせて切り抜く際に、切り抜く前に仕上がり具合を確認できるようになる。
【００１１】
また、請求項３にかかる発明においては、請求項２にかかる型紙において、裏面の一部分に両面接着テープを設けたので、写真の上に型紙を簡単に貼り付けることができ、また、貼り付け位置の調整も簡単にできる。
【発明を実施するための最良の形態】
【００１２】
以下、本発明の実施例を図面に基づいて詳細に説明する。
【実施例】
【００１３】
図１は、本発明に係る型紙の一例を示す図であり、図１（イ）は表側、図１（ロ）は裏側を示す図である。図１において、１は型紙シート、２は型紙、３は切り込み、４は折曲片、５は突出部、６は連結部、７は両面接着テープである。
【００１４】
型紙シート１は、様々な形状の型紙２を１枚のシートにまとめている。切り込み３は周囲を囲むような形状で、同心状に表裏を貫通するように設けており、それらにより折曲片４が同心状に形成されている。各折曲片４の先端部には、折曲片４を上方に折り曲げる際に、爪で引っ掛けてつまみ上げ易くなるように突出部５が設けられている。また、各型紙２や各折曲片４がばらばらにならないようにするため、切り込みを入れない部分を残して連結部６が設けられている。さらに、図１（ロ）に示すように、各型紙２の裏側には、型紙２を写真に貼り付けて固定するための両面接着テープ７が、連結部６に沿って細く直線上に設けられている。
【００１５】
次に、図２に示す写真を例にして、本発明の型紙２の使い方を説明する。図２は集合写真で、例えば、その中からＡさんだけの写真を切り抜いてキーホルダ等のプレート部に貼り付ける場合、型紙シート１から所望の型紙２を切り取って、裏側の両面接着テープ７の保護テープを剥がし、図３に示すように、Ａさんの顔の上に貼り付ける。
【００１６】
そして、適当な折曲片４を選んで、その突出部５を指の爪に引っ掛けて、折曲片４を上に折り曲げる。その結果、下側にあるＡさんの顔が部分的に見えるので、型紙２の貼り付け位置や角度が適当かどうかが判断できる。折曲片４を上に折り曲げて見た結果、型紙２の貼り付け位置や角度を調整する必要があれば、一旦折曲片４を剥がして貼り直す。
【００１７】
そのようにして型紙２の位置が決まったら、他の折曲片４を上に折り曲げてみて、最適な大きさを決め、図４に示すように、中側の不要な折曲片４を指で引きちぎる。その結果、型紙２の最も内側に残った折曲片４の内縁が切り抜き位置として明確に示される。
【００１８】
写真の切り抜きには、残った折曲片４の内縁とサイズ，形状が一致する打ち抜き刃を用いるが、予め各折曲片４にサイズ，形状が一致する刃型の打ち抜き刃を用意しておき、それらの中から該当するものを選び出して用いる。その打ち抜き刃を、型紙２の最も内側に残った折曲片４の内縁に合わせ、上から押し込むと所望の切り抜き写真が得られる。
【００１９】
その写真をキーホルダ等のプレート部に貼り付け、その上に樹脂コーティングを施せば、自分好みのオリジナルなものが得られる。
【００２０】
なお、型紙２の切り込み３，折曲片４の形状としては、図５（イ）に示すように、動物の外形を模ったり、その他任意の形状にすることができる。それらの形状を工夫することにより、より装飾性，意匠性の高い装飾品とすることができる。また、図５（ロ）に示すように、突出部５の形状を上下で異なる形にしてもよい。そのようにすれば、型紙２の天地が一目で分かるようになる。
【図面の簡単な説明】
【００２１】
【図１】本発明に係る型紙の一例を示す図である。
【図２】本発明の装飾品の製造方法に使用する写真の一例を示す図である。
【図３】図２の写真に本発明の型紙を適用した状態を示す図である。
【図４】写真の切り抜き位置を決めた状態を示す図である。
【図５】型紙の別の例を示す図である。
【符号の説明】
【００２２】
１…型紙シート
２…型紙
３…切り込み
４…折曲片
５…突出部
６…連結部
７…両面接着テープ
８…写真
【図１】
2008259684.tif 000003
【図２】
2008259684.tif 000004
【図３】
2008259684.tif 000005
【図４】
2008259684.tif 000006
【図５】
2008259684.tif 000007